(57)【要約】本発明は、バドミントンシャトルコックに関し、コルク材質のベースと、ベースに所定の間隔で差し立てられる１０〜１４個の羽根で構成され、前記ベースの上部面と羽根の外周面の間が７５°〜８７°の角度を有するシャトルコックを提供し、生産費を減少させ、打球感を改善し、羽根の減少にも従来の公認シャトルコックと同じ飛距離を有するようにし、破損率が大幅に減少されて、一般人が楽しむのに適合する。
2011527926.tif 000002
【特許請求の範囲】
【請求項１】
コルク材質のベースと；
ベースに所定の間隔で差し立てられる１０〜１４個の羽根から構成され、
前記ベースの上部面と羽根の外周面の間が７５°〜８７°の角度を有することを特徴とするバドミントンシャトルコック。
【発明の詳細な説明】
【技術分野】
【０００１】
本発明はバドミントンシャトルコックに関する。
【背景技術】
【０００２】
バドミントンはネットを中央にしてラケットでシャトルコックを打ってネットを越す競技であって、サーブ権に関係なく、該ラリーで勝った方が得点して、一ゲームで２１点（初等部は１７点）を先取した方が勝利し、２０：２０同点（初等部１６：１６）の場合２点を連続して得点した方が勝利し、２９：２９（初等部２４：２４）の場合、３０点（初等部２５点）に先に到逹した方が勝つ。
【０００３】
このようなバドミントン競技は競技に要求される人数が最小二人で、装備もラケットとシャトルコックなどと簡単で、専門選手の他に一般人も楽しめる運動である。
【０００４】
また、バドミントンの正式大会は、シャトルコックが羽根からなって、衝撃によってよく折れることができ、風の影響をたくさん受けることから、シャトルコックの飛行性を保持するために外気の通風を全部遮断した室内競技場で行うようになっており、床は競技者が滑らない材質からなり、単式競技と複式競技ができるようにラインを引いて使用し、上記したバドミントンのためのコートのラインは、幅が単式の場合５．１８ｍ、複式の場合６．１ｍで、両方バックバウンドリラインの間の長さが１３．４ｍで、中心に中央部がｌ．５２４ｍ、支柱側がｌ．５５ｍであるネットが設置され、単式のロングサービスラインはネットから６．７ｍで、複式のロングサービススラインは５．９４ｍである。
【０００５】
また、ラケットは重量、形状、材質に対する制限がない。純木材からなるもの、シャフトのみスチールからなるもの、純スチールからなるものなどがあり、近来は特殊カーボンやファイバー製をたくさん使用する。ラケットに用いる紐（ガット）は羊の腸で作られたシープ（ｓｈｅｅｐ）が最も弾力性があり、耐久性が強くて選手は大抵試合の時これを使用する。しかし練習の時はナイロンまたはシルク製品を利用したりする。
【０００６】
シャトルコックは鳥の羽根を半球状のコルクからなるベースに差し立てたもので、重量は４．５〜５．５ｇで、コルクの直径は２．５〜２．８ｃｍであり、羽根の数は１６枚、羽根端からベース上部面までの長さは６．４〜７．０ｃｍであり、羽根端の直径は５８〜６８ｍｍで、最高速度は３２０ｋｍ／ｈであり、競技者がコートの一隅でアンダーハンドで打って反対側のバックバウンダリーラインの内側の５３〜９９ｃｍの間に落ちなければならない。
【０００７】
このような構成を有するシャトルコックは羽根が広げられた形状に製作されてオーバーハンドストロークで打てば羽根が縮められながら空気の抵抗が減少されるが、アンダーハンドストロークで打てば空気の抵抗が大きくなって、構造上空気の抵抗によってバックバウンダリーライン付近で垂直落下して、この区域を脱すると、不良と見做して競技で除く。
【０００８】
一方、前記したシャトルコックに使用される羽根は、水鳥の羽を用いた水鳥球と鶏の羽根を用いた陸鳥球があるが、最近には水鳥球の生産が需要を満足できなくて陸鳥球を多く使用する。その他に前記の羽根を用いたシャトルコックが価格の問題とよく折れる問題が発生されるので訓練用またはレクリエーション用としてナイロン係、プラスチック係が市販されているが、国際規格に合わないで、耐久性も水鳥球に及ぶことができないとともに、打球感も良くないという問題点があった。
【０００９】
従来の羽根からなるシャトルコックは、図１及び図２に示すように、ベース１０の上部面と羽根２０の外周面が６５°〜７５°程度となり、国際競技に使用されるシャトルコックの場合、上述したように、ベースの直径が２．５〜２．８ｃｍで、最大円周が８．８ｃｍ程度で、羽根が差し立てることを勘案して端部から内側に１．５ｍｍ程度置いて羽根を差し立てた場合には、羽根の差し立てる部分の円周は７．８５ｃｍ程度であり、これを１６等分すれば一つの羽根のためのベースの最上部面の空間が０．５ｃｍ程度であるので、羽根と羽根の間に、図３に示すように、若干の空間を有するようになるが、羽根の終り部分はベースの端部から内側に約５ｍｍ離れた位置に位置され、羽根の直径が２〜３ｍｍであるので、羽根の終り部分が位置される部分の円周は４．４ｃｍで、一つの羽根に保障される空間が約２．７ｍｍとなるので、羽根の終り部分は、図４に示すように、互いに触れたり重畳されるので結果的に羽根の縦断部がコルクを内／外に分離してコルクと羽根の密着状態が堅固でなくて、羽根とコルク材のベースが分離される問題が発生された。
【００１０】
また、上述したようなシャトルコックはベースの上部面の直径に比べて羽根の縦断直径が約３倍程度大きいため、図５に示すように、ラケット３０で打撃の時ベースより羽根が先にラケットにぶつかるので、羽根が破損される確率が非常に高かった。
【００１１】
このように、従来のシャトルコックは、上述したような構造上の問題で羽根とベースが分離される問題がよく発生され、羽根がラケットとぶつかって頻繁に破損され、羽根を使用するので材料の需給とコストが問題として台頭し、重量などによって中長年層の場合、エルボー及び関節などに衝撃が大きいという問題があった。
【００１２】
また、１６個の羽根が約７０°程度の起立角（ベースと羽根の間の角度）を有するので飛行中に空気の抵抗が大きくなるので十分な飛距離を有するためには打撃の時大きい力を加えなければならないので、中／長年層がバドミントンを充分に楽しむために、特に遠距離にシャトルコックを打つためには非常に強くシャトルコックを打たなければならないので、関節や骨などに負担を与えるという問題点があった。
【００１３】
また、空気の抵抗を大きく受けるので、室外で競技をする場合、弱風にもシャトルコックが所望の方向と距離に飛行できないという問題が発生されて、競技がよく中断されたり、競技に対する興味を失うという問題点が発生された。
【発明の概要】
【発明が解決しようとする課題】
【００１４】
上述したような従来のシャトルコックの問題を解決するための本発明の目的は、羽根の数を減少して、生産費を減少させ、且つ打球感を改善し、羽根の減少にも従来の公認シャトルコックと同じ飛距離を有し、且つ風の影響を少なく受け、破損率が大幅に減少されて、一般人が楽しむのに適合するようにシャトルコックの構造を改善することにある。
【課題を解決するための手段】
【００１５】
上述した目的を果たすための本発明の特徴は、コルク材質のベースと、ベースに所定の間隔で差し立てる１０〜１４個の羽根で構成され、前記ベースの上部面と羽根の外周面の間が７５°〜８７°の角度を有するバドミントンシャトルコックにある。
【発明の効果】
【００１６】
上述したように構成された本発明によれば、羽根の数が減少されるので、全体製造費が低下される効果を奏し、シャトルコックが公認球に比べて軽量であるので、中長年層が利用するにも負担を与えなくて、使用上の満足度の向上される效果を奏する。
【００１７】
また、羽根の起立角がほぼ垂直に近くて、飛行過程で空気及び風の抵抗を少なく受けるので、打撃の時従来の公認シャトルコックに比べて羽根数が少ないにもかかわらず、空気の抵抗を少なく受けて遠く飛行するので、飛距離が公認シャトルコックと類似して、羽根部分の直径が従来に比べて減少され、重量の中心がベースに集中されて打撃の時ベースがシャトルコックの運動方向に位置されるので、相手が打球する過程でラケットと羽根が直接ぶつかる確率が従来の公認シャトルコックに比べて大幅に減少されて、シャトルコックの破損率が減少されるので使用寿命の長くなる效果を奏する。
【００１８】
また、羽根数が減少されるので、ベースの羽根の間の間隔が広くなるので、羽根の終り部分が互いに触れないで間隔を有するので、従来のように、羽同士にぶつかる現象が発生されないで、羽根とコルクが互いに密着されるので、羽根とベースの間の密着力が高くて、使用中の羽の分離率が大幅に減少される效果を奏する。
【図面の簡単な説明】
【００１９】
【図１】従来のシャトルコックの斜視図である
【図２】従来のシャトルコックの側断面図である。
【図３】ベースの上端部の断面図である。
【図４】ベースの下端部の羽端部の部分断面図である。
【図５】シャトルコックの飛行角とシャトルコックとラケットの接触角度を示す図面である。
【図６】本発明によるシャトルコックの側断面図である。
【図７】ベースの上端部の断面図である。
【図８】ベースの下端部の羽端部の断面図である。
【図９】シャトルコックの飛行角とシャトルコックとラケットの接触角度を示す図面である。
【発明を実施するための形態】
【００２０】
以下、本発明の実施形態を添付図面を参照してより詳しく説明する。
【００２１】
図６は本発明によるシャトルコックの側断面図であり、図７はベースの上端部の断面図で、図８はベースの下端部の羽の端部の部分断面図であり、図９はシャトルコックの飛行角とシャトルコックとラケットの接触角度を示す図面である。
【００２２】
本発明によるシャトルコックは、図６〜図８に示すように、上部面の直径が２．５〜２．８ｃｍである公認シャトルコックに用いられるコルク材質のベース１００と、前記ベース１００に所定の間隔で差し立てる１２個の羽２００で構成され、前記ベース１００の上部面と羽２００の外周面との間が８０°を有する。
【００２３】
このように構成されたシャトルコックによれば、ベースの直径が２．５〜２．８ｃｍで、最大円周が８．８ｃｍ程度で、羽根が差し立てられる角度が従来のシャトルコックより大きいので、ベースの端部から内側に３ｍｍ程度入れて羽を差し立てられるので、羽根が差し立てられる部分の円周は最大６．９１ｃｍ程度であり、これを１２等分すれば一つの羽根のためのベースの最上部面の空間が０．５７５９ｃｍ程度で、図７に示すように、相当の間隔を有し、羽根の直径が０．３ｃｍ程度であり、羽根がほぼ直角に差し立てられる点を勘案すると、羽根の終り部分は、図８に示すように互いに触れないで離間される。
【００２４】
これによって、ベースに差し立てられる羽根部分は、全部コルクと密着されるので、コルクと羽根の密着力が良くて羽根の分離が比較的少なく発生され、コルクの軽快な感覚を感じることができる。
【００２５】
また、図９に示すように、羽根２００の起立角が直角に付近するので、羽根の最上側の直径が従来に比べて大幅に減少され、重量の中心がベースに集中されるので、ラケット３００で打撃の時ベースに正確に打撃することができ、打撃の過程でベースが運動方向を向けるので、相手のラケットで羽根がベースより先にぶつかる頻度が大幅に減少されて、シャトルコックの破損率が減少される效果を奏する。
【００２６】
また、シャトルコックの最大直径が従来のシャトルコックより小さくなって、重量の中心がベース部位に集中されるので、空気との接触面積が小さくなって打撃の時空気の抵抗を少なく受けるので、風に容易に飛ばされなくて、小さな力でも遠い距離まで飛ぶようになって、打撃が容易で、室外でも風の影響を少なく受けるので、従来のように風によって競技が中断されたり、十分な飛距離を有することができなくなるなどの問題が発生されないので、室外でもバドミントンを充分に楽しむことができる。
【００２７】
また、羽根の数が減少された分だけシャトルコックが軽量になって、中長年層が使用する時にも打撃の時転移される衝撃が減少されて、中長年層の体に負担を与えないで、軽量化と直角に近い起立角及びこれによるベースの重量の集中及び空気の抵抗の弱化によって瞬間速度がさらに早くなることによって、シャトルコックを遠く飛ばそうとする時にも、従来に比べて小さな力でも可能であるので、競技者の体に負担を与えないで、瞬間速度が早くなるので、相手のシャトルコックを打つためには、継続してシャトルコックに集中しなければならないので、競技に緊張感を増加させ、展開が速くなるのでバドミントンを楽しむのに興味を増加させることができる。
【符号の説明】
【００２８】
１００：ベース
２００：羽根
【図１】
2011527926.tif 000003
【図２】
2011527926.tif 000004
【図３】
2011527926.tif 000005
【図４】
2011527926.tif 000006
【図５】
2011527926.tif 000007
【図６】
2011527926.tif 000008
【図７】
2011527926.tif 000009
【図８】
2011527926.tif 000010
【図９】
2011527926.tif 000011
【国際調査報告】
2011527926.tif 000012
2011527926.tif 000013
2011527926.tif 000014
2011527926.tif 000015